(57)【要約】      （修正有）【課題】靴を履いたままでも着脱が容易なレインパンツを提供する。【解決手段】前身頃２と後ろ身頃３との間の上部にウエスト拡大構造部１０が設けられ、ダーツ２２を有したマチ４が設けられている。前身頃２とマチ４の前縁とに対しチャックのテープ部が共縫いされ、後ろ身頃３とマチ４の後縁とに対しテープ部３２が共縫いされている。スライダ３５を上げてチャックを閉めると、ウエスト拡大構造部１０の幅が小さくなり、チャックを開けるとウエスト拡大構造部１０の幅が大きくなる。【選択図】図２
0003199545.tif 000002
【実用新案登録請求の範囲】
【請求項１】
ウエスト部を拡張させるためのウエスト拡大構造部を有したレインパンツであって、
該ウエスト拡大構造部は、上下方向に延在するマチと、該マチの前縁と後縁とを連結した連結状態及び該マチの前縁と後縁とを離反させた連結解除状態を取りうるチャックとを有することを特徴とするレインパンツ。
【請求項２】
請求項１において、前記マチの前縁部は前身頃の上部後縁に縫着されており、前記マチの後縁部は後ろ身頃の上部前縁に縫着されていることを特徴とするレインパンツ。
【請求項３】
請求項２において、チャックのテープ部が前身頃又は後ろ身頃に対し、前記マチとに共縫いされていることを特徴とするレインパンツ。
【請求項４】
請求項２又は３において、前記マチと前記前身頃及び後ろ身頃の素材は同一であることを特徴とするレインパンツ。
【請求項５】
請求項１ないし４のいずれか１項において、前記マチに上下方向に延在するダーツが設けられていることを特徴とするレインパンツ。
【請求項６】
請求項５において、前記ダーツは前記マチの略中央部に設けられていることを特徴とするレインパンツ。
【請求項７】
請求項１ないし６のいずれか１項において、マチ及びチャックの縫目を覆うようにシームテープがレインパンツの裏側に付着されていることを特徴とするレインパンツ。
【請求項８】
請求項１ないし７のいずれか１項において、前記ウエスト拡大構造部の幅は上方ほど大きくなっていることを特徴とするレインパンツ。
【請求項９】
請求項１ないし８のいずれか１項において、前記マチは高撥水性及び高耐水性の素材よりなることを特徴とするレインパンツ。
【考案の詳細な説明】
【技術分野】
【０００１】
本考案は、雨天時に穿くのに好適なレインパンツに係り、特に靴を履いたままでも着脱が容易なレインパンツに関する。
【背景技術】
【０００２】
レインパンツは、防水性の布を縫製して製作されたものである。雨天時のゴルフや屋外作業の際に穿くレインパンツは、一般のズボンと同様の前立て部を有している（特許文献３）ほか、着脱を容易とするために裾から上方に延在するチャックを設けたりすることがある（特許文献１，２）。
【先行技術文献】
【特許文献】
【０００３】
【特許文献１】実用新案登録第３０５２３４６号公報
【特許文献２】実用新案登録第３１８２０２４号公報
【特許文献３】実用新案登録第３０９５１８４号公報
【考案の概要】
【考案が解決しようとする課題】
【０００４】
ゴルフ用レインパンツは、通常、靴を履いたままゴルフ用スラックスの上に穿いたり脱いだりするものであるため、前立て部を大きく開けても、靴や、下に穿いているスラックスのウエスト部にレインパンツのウエスト部が引っ掛かって着脱の支障となり、着脱に手間がかかることが多い。また、着脱を容易にするためにチャック等を設けると防水性が落ちる。本考案は、着脱が容易で防水性に優れたレインパンツを提供することを目的とする。
【課題を解決するための手段】
【０００５】
本考案のレインパンツは、ウエスト部を拡張させるためのウエスト拡大構造部を有したレインパンツであって、該ウエスト拡大構造部は、上下方向に延在するマチと、該マチの前縁と後縁とを連結した連結状態及び該マチの前縁と後縁とを離反させた連結解除状態を取りうるチャックとを有することを特徴とするものである。
【０００６】
このマチは、上側ほど幅が大きくなっていることが好ましい。また、マチに上下方向に延在するダーツが設けられていることが好ましい。
【０００７】
本考案では、チャックのテープ部が前身頃の上部後縁又は後ろ身頃の上部前縁と、前記マチとに共縫いされていることが好ましい。この縫目をシールするためにシームテープが縫目の裏側に貼着されることが好ましい。
【考案の効果】
【０００８】
本考案のレインパンツにあっては、チャックを開けてウエスト拡大構造部を広げることにより、靴を履いたままでも容易に着脱することができる。レインパンツを穿いた後は、チャックを閉じてウエスト拡大構造部を閉じることにより、身体にフィットし易くなる。本考案でウエスト拡大構造部に設けられたチャックは、ウエスト拡大構造部を広げたり閉じたりするものであり、ウエスト拡大構造部自体はマチでカバーされているので、防水性に優れる。
【０００９】
マチの幅を上側ほど大きくすることにより、着脱がより容易となる。縫目の裏側にシームテープを貼ることにより防水効果が得られる。マチにダーツを設けることにより、マチがチャックに噛み込まれることが防止され、チャックのスライダをスムーズに上げ下げすることができる。
【図面の簡単な説明】
【００１０】
【図１】実施の形態に係るレインパンツの右側面図である。
【図２】図１（ａ）の一部拡大図である。
【図３】図２のIII−III線断面図である。
【考案を実施するための形態】
【００１１】
以下、図面を参照して実施の形態について説明する。図１はレインパンツ１の右側面図であり、（ａ）はウエスト拡大構造部１０を開けて広げた状態を示し、（ｂ）はウエスト拡大構造部１０を閉じた状態を示している。
【００１２】
このレインパンツ１にあっては、前身頃２と、後ろ身頃３と、前身頃２と後ろ身頃３の上部同士の間に介在されたマチ４とが縫合され、さらにこれらの上辺側にウエストベルト部１３が縫合されている。
【００１３】
前身頃２は、前身頃本体２Ｍと、前身頃本体２Ｍの上部後縁に縫着されたサイドマチ部２Ｓとからなる。サイドマチ部２Ｓは、上方ほど幅が大きくなる縦長の三角形状の布よりなり、マチ４とほぼ同一の上下長さを有している。
【００１４】
前身頃２、後ろ身頃３、マチ４及びウエストベルト部１３を構成する基布は、いずれも高耐水性、高撥水性、高透湿性（例えば、初期耐水圧２７，０００ｍｍ、撥水性（初期）５級、透湿度２０，０００ｇ／ｍ２／２４ｈ）を有する素材（好ましくは同一素材）によって構成されている。
【００１５】
図１に示すようにこのレインパンツ１は、ウエスト部１１と、該ウエスト部１１の下部に一体に形成された左右１対の脚部１２と、前記ウエスト部１１の上端開口部に縫着されたウエストベルト部１３とを備えている。前記ウエストベルト部１３には図示しないバンドを挿通するためのバンド通しが複数箇所に設けられている。レインパンツ１の前部の上部は前立て部１４となっている。
【００１６】
前記ウエスト部１１の左右両側には、左右１対のポケット１５と、左右１対の開閉部１６が設けられている。ポケット１５は、前身頃本体２Ｍに設けられている。ポケット１５の入口部には、逆玉縁部１５ａが縫着されている。
【００１７】
開閉部１６は、チャック（図示略）によって開閉される開口部であり、チャックを下げて開放させることにより、レインパンツ１の外側から手をレインパンツ１内に差し込んで、レインパンツ１の下に穿いているスラックスのポケットに物を出し入れすることができるようになっている。開閉部１６のチャックを隠すように見返し部１６ａが設けられている。開閉部１６は、前身頃本体２Ｍとサイドマチ部２Ｓとの境界部に設けられている。
【００１８】
ウエスト部１１の後部には後ろポケット１７が設けられ、この後ろポケット１７の入口部にはフラップ１７ａが設けられている。なお、ポケット１５，１７は図１（ｂ）にのみ破線にて示されている。
【００１９】
ウエスト拡大構造部１０は、レインパンツ１のウエスト部１１の左右のサイド部の上部にそれぞれ設けられている。このウエスト拡大構造部１０の構造について図２，３を参照して説明する。なお、図３（ａ）は図２のIII−III線断面を示しており、図３（ｂ）はウエスト拡大構造部１０を閉じた状態における図３（ａ）と同一部分の断面を示している。
【００２０】
前身頃２と後ろ身頃３とは、脚部１２の裾１２ａからウエスト拡大構造部１０の直下位置までは直に縫合されている。ウエスト拡大構造部１０部分にあっては、図２，３（ａ）の通り、ウエスト拡大構造部１０を開けた状態において、前身頃２のサイドマチ部２Ｓの後縁と後ろ身頃３の前縁との間を塞ぐように、マチ４が前身頃２のサイドマチ部２Ｓの後縁及び後ろ身頃３の前縁に対し縫合糸２０，２１によって縫合されている。マチ４は上方ほど幅が大きくなる縦長の三角形状の布よりなる。なお、図示は省略するが、裾部分に、５００ｍｍ以下のファスナーを設けてもよい。
【００２１】
マチ４にはダーツ２２が縫合糸２３によって形成されている。ダーツ２２は、マチ４を裏側（レインパンツ１を穿いた着用者の身体側）につまみ出し、縫合糸２３によってつまみ出し部を縫合した構成となっている。ダーツ２２は、マチ４の幅方向中央部を上端から下端まで延在している。縫合糸２０，２１による縫目を覆うようにシームテープ２４，２５がレインパンツ１の裏側に熱圧着により付着されている。
【００２２】
マチ４の前縁と前身頃２のサイドマチ部２Ｓの後部上縁との間には、チャック３０の一方のテープ部３１が介在され、縫合糸２０によって共縫いされている。さらに、この縫合糸２０によってチャック３０を隠蔽するための見返し部４０が縫合されている。
【００２３】
マチ４の後縁と後ろ身頃３の上部前縁との間には、チャック３０の他方のテープ部３２が介在され、縫合糸２１によって共縫いされている。
【００２４】
チャック３０は、テープ部３１，３２と、該テープ部３１，３２にそれぞれ設けられた務歯部３３，３４と、務歯部３３，３４同士を連結及び連結解除するためのスライダ３５（図２）とを有する。チャック３０は、チャック３０を全開状態としたときにスライダ３５がチャック３０の最下部に位置するように前身頃２及び後ろ身頃３に縫着されている。
【００２５】
ウエスト拡大構造部１０及びそのマチ４の形状に特に制限はないが、好ましくは、チャック３０を開けた状態では、ウエスト拡大構造部１０は縦長の略二等辺三角形状となっている。ダーツ２２がこのウエスト拡大構造部１０の略中央部を上下方向に延在している。なお、ダーツ２２の配置はこれに限定されない。
【００２６】
図３（ｂ）の通り、チャック３０を閉じると、前身頃２のサイドマチ部２Ｓの後縁上部と後ろ身頃３の前縁上部とがチャック３０で連結され、ウエスト拡大構造部１０が閉じた状態となる。この状態では、チャック３０は見返し部４０で覆われており、美観や防水性が良好となっている。また、ウエスト拡大構造部１０を閉じると、レインパンツ１のウエスト部が着用者の身体にフィットし易い。なお、図３（ｂ）では、ダーツ２２に引き続く部分が垂直状に図示されているが、身体装着状態にあっては、当該部分は後ろ身頃３又はサイドマチ部２Ｓに重なる。
【００２７】
チャック３０のスライダ３５を引き下げてウエスト拡大構造部１０を開けると、レインパンツ１のウエストが大きくなる。
【００２８】
ダーツ２２を設けているので、スライダ３５を上下動させるときにマチ４がチャック３０に噛み込まれることが防止され、スライダ３５を軽快にスライドさせることができる。
【００２９】
図２のように、ウエスト拡大構造部１０を最も大きく広げた状態において、ウエスト拡大構造部１０の上辺の幅Ｗは５０ｍｍ以上特に１００ｍｍ以上であり、また２７５ｍｍ以下特に１５０ｍｍ以下であることが好ましい。また、この状態において、ウエスト拡大構造部１０の上下方向の長さＬは１００ｍｍ以上特に２００ｍｍ以上であり、また５５０ｍｍ以下特に３００ｍｍ以下であることが好ましい。
【００３０】
前記ウエストベルト部１３には、ウエスト拡大構造部１０よりも前側及び後ろ側にそれぞれゴム帯などの弾性部材を縫着することによって、ギャザー部５１，５２が形成されている。ウエストベルト部１３には、ウエスト拡大構造部１０よりも後側かつギャザー部５２よりも前側につまみ布部５３が設けられている。このつまみ布部５３の裏側面に面ファスナ５４が縫着されている。つまみ布部５３の長さは５０〜２００ｍｍ程度が好適である。
【００３１】
ウエストベルト部１３には、ウエスト拡大構造部１０よりも前側かつギャザー部５１よりも後側に、面ファスナ５５が縫着されている。図１（ｂ）のように、ウエスト拡大構造部１０を閉じた後、ウエスト拡大構造部１０の上側におけるウエストベルト部１３の弛みを取るために、つまみ布部５３を引っ張って面ファスナ５４を面ファスナ５５に結合させる。
【００３２】
なお、この実施の形態では、図示は省略するが、脚部１２の裾から股下部にまで達するように前身頃２と後ろ身頃３との間にチャックを設け、脚部１２を開くことができるように構成されている。
【００３３】
このレインパンツ１は、スライダ３５を下げてウエスト拡大構造部１０を広げると共に、つまみ布部５３を面ファスナ５５から引き剥したフリー状態とすることにより、単に前立て部１４をあけた場合よりも容易に穿いたり脱いだりすることができる。特に靴を履いたでも容易に穿いたり脱いだりすることができる。レインパンツ１を穿いた後は、スライダ３５を引き上げてウエスト拡大構造部１０を閉め、つまみ布部５３の面ファスナ５４を面ファスナ５５にくっつけることにより、身体にフィットし易くなる。
【００３４】
上記実施の形態は、本考案の一例であり、本考案は図示以外の形態とされてもよい。例えば、適宜の箇所に通気性の開口部と、この開口部に被さるカバー片部とを設けてもよい。また、裾を絞るための紐や、つまみ布部、面ファスナなど公知の各種の構成を採用することができる。
【００３５】
本考案のレインパンツ１では、ウエスト拡大構造部１０は右側ウエスト部及び左側ウエスト部の一方（例えば右側）にのみ設けられてもよく、双方に設けられてもよい。本考案では、前身頃本体２Ｍとサイドマチ部２Ｓとを１枚の基布で一連一体に構成してもよい。
【符号の説明】
【００３６】
１  レインパンツ
２  前身頃
３  後ろ身頃
４  マチ
１０  ウエスト拡大構造部
１３  ウエストベルト部
１５，１７  ポケット
２０，２１，２３  縫糸
２２  ダーツ
２４，２５  シームテープ
３０  チャック
３１，３２  テープ部
３３，３４  務歯部
３５  スライダ
４０  見返し部
５１，５２  ギャザー部
５３  つまみ布部
５４，５５  面ファスナ
【図１】
0003199545.tif 000003
【図２】
0003199545.tif 000004
【図３】
0003199545.tif 000005